(57)【要約】      （修正有）【課題】インナーレールのストロークが長いスライドレールを有する、使用勝手の良い引出し構造体を提供する。【解決手段】引出し構造体は、スライドレール２０ａによって引出し自在となる内引出し７１を備えている。（１）で示すように、内引出し７１が収納状態の時、インナーレール２１ａはインナーレール２１ａとアウターレール２２ａとが重なり合った位置から第１の方向（図の右方向）にスライドした状態に位置している。そして、内引出し７１を第２の方向（図の左方向）へと引き出し続けると、（２）で示す上述した重なり合う位置を超えて、（３）で示すように、最大引き出し状態となる。この時、インナーレール２１ａは上述した重なり合った位置から第２の方向にスライドした状態に位置している。従って、スライドレール２０ａの長さに対して、インナーレール２１ａのストローク長さが３Ｌ／２となり、従来と比べて拡大する。【選択図】図４
0003157827.tif 000002
【実用新案登録請求の範囲】
【請求項１】
引出し構造体であって、
引出し本体と、
前記引出し本体が収納される収納体と、
前記引出し本体と前記収納体との間に取付けられ、前記引出し本体を前記収納体に対して引き出し自在とするスライドレールとを備え、
前記スライドレールは、前記引出し本体に取付けられたインナーレールと、前記インナーレールにスライド自在に係合し、前記収納体に取付けられたアウターレールとを含み、
前記引出し本体が収納された位置にあっては、前記インナーレールと前記アウターレールとが重なりあった位置から第１の方向にスライドした収納位置に前記インナーレールは配置され、
前記引出し本体を引き出す際には、前記インナーレールは前記収納位置から前記第１の方向とは反対の第２の方向に移動する、引出し構造体。
【請求項２】
前記引出し本体は、前記収納体に引き出し自在に取付けられた外引出しの内部に収納され、
前記引出し本体と前記外引出しとは、前記収納体に対して同一方向に引き出し自在である、請求項１記載の引出し構造体。
【請求項３】
前記引出し本体の引出し側の端部の位置は、前記インナーレールの前記第２の方向側の端部より外方に位置する、請求項２記載の引出し構造体。
【請求項４】
前記引出し本体の前方扉の前面は、
収納時において、前記外引出しの前扉の背面に対して所定距離離れた内方側に位置し、
引き出し時において、前記外引出しの最大引き出し位置における前記外引出しの前記背面に対して前記所定距離未満の内方側に位置する、請求項２又は請求項３記載の引出し構造体。
【考案の詳細な説明】
【技術分野】
【０００１】
この考案は引出し構造体に関し、特に、スライドレールによって引き出し自在に構成された引出し本体を有する引出し構造体に関するものである。
【背景技術】
【０００２】
図６は従来の引出し構造体の収納状態を示した概略断面図であり、図７は図６で示したＶＩＩ−ＶＩＩラインの断面図であり、図８は図７で示したＸ部分の拡大図である。
【０００３】
これらの図を参照して、引出し構造体５０は、収納体４０と、収納体４０に引き出し自在に取付けられた外引出し６１と、外引出し６１の内部に収納されると共に、収納体４０に対して外引出し６１と同一方向に引き出し自在に取付けられた引出し本体である内引出し５１とから主に構成されている。又、内引出し５１と収納体４０との間にはスライドレール８０ａ、８０ｂが取付けられており、外引出し６１と収納体４０との間にもスライドレール９０ａ、９０ｂが取付けられている。内引出し５１及び外引出し６１の各々は、スライドレール８０ａ、８０ｂ、９０ａ、９０ｂによって引き出し自在となっている。
【０００４】
収納体４０は、天板４１と、底板４３と、天板４１と底板４３とを接続する側板４２ａ、４２ｂと、背板４４とから構成されており、その前面（図６の左側）が開放された箱状に形成されている。
【０００５】
内引出し５１は、その前面に位置する、外引出し６１の前扉６２の背面に接する矩形状の前方扉５２と、前方扉５２から収納側（図６の右側）に延びる矩形状の底板５４及び側板５３ａ、５３ｂと、底板５４及び側板５３ａ、５３ｂの収納側端部に接続された矩形状の背板５５とによって、上面側を開口とする箱状に形成されている。そして、収納体４０の側板４２ａと内引出し５１の側板５３ａとの間にはスライドレール８０ａが取付けられており、収納体４０の側板４２ｂと内引出し５１の側板５３ｂとの間にはスライドレール８０ｂが取付けられている。
【０００６】
ここで、スライドレール８０ａの詳細な構造について説明する。
【０００７】
図８を参照して、スライドレール８０ａは、収納体の側板４３ａにネジ８６ａによって取付けられた、断面Ｕ字状で引き出し方向（図８の紙面を直交する方向）に延びるアウターレール８２ａと、内引出しの側板５３ａにネジ８６ｂによって取付けられた、断面Ｕ字状で引き出し方向に延びるインナーレール８１ａとから主に構成されている。又、アウターレール８２ａとインナーレール８１ａとの間の各々には、複数のスチール製のボール８３ａが引き出し方向に整列して設置されている。そして、ボール８３ａの各々は、リテーナー８４ａによって保持されている。ボール８３ａの各々によって、インナーレール８１ａは引き出し方向に容易にスライドすることが出来る。尚、スライドレール８０ｂについても、スライドレール８０ａと同一構造となっている。
【０００８】
全体の説明に戻って、外引出し６１は、その前面に位置する矩形状の前扉６２と、前扉６２から収納側に延びる矩形状の底板６４及び側板６３ａ、６３ｂと、底板６４及び側板６３ａ、６３ｂの収納側端部に接続された矩形状の背板６５とによって、上面側を開口とする箱状に形成されている。そして、収納体４０の側板４２ａと外引出し６１の側板６３ａとの間にはスライドレール９０ａが取付けられており、収納体４０の側板４２ｂと外引出し６１の側板６３ｂとの間にはスライドレール９０ｂが取付けられている。尚、スライドレール９０ａ、９０ｂは上述したスライドレール８０ａと同一である。
【０００９】
次に、外引出し及び内引出しの引き出し動作に伴うスライドレールの動作について説明する。
【００１０】
図９は図６で示した引出し構造体の最大引き出し状態を示した概略断面図であり、図１０は図６で示した内引出しのスライドレールの動作を示す模式図であって、（１）は収納状態を示すものであって、（２）は最大引き出し状態を示すものである。
【００１１】
まず、図６及び図１０の（１）を参照して、内引出し５１が収納状態の時、スライドレール８０ａのアウターレール８２ａとインナーレール８１ａとが重なり合った位置となっている。尚、アウターレール８２ａ及びインナーレール８１ａの長手方向の長さはＬ１であり、図８で示したボール部分の長さはＬ１／４となるように設定されている。長さＬ１は、収納体４０の側板４２ａ及び内引出し５１の引き出し方向の長さとほぼ同じ長さである。そして、アウターレール８２ａとインナーレール８１ａとが重なり合った状態の時、ボール部分８８はこれらの中央に位置する。即ち、アウターレール８２ａ及びインナーレール８１ａにおけるボール部分８８を除く両端の長さはそれぞれ３Ｌ１／８となる。
【００１２】
又、インナーレール８１ａは、図示しないストッパーによってこの位置からそれ以上収納側へは移動できないように形成されている。即ち、インナーレール８１ａは、この位置から引き出し方向へのみスライドすることが可能である。そして、この状態から、外引出し６１及び内引出し５１を引き出し方向に引き出し続けると、図９及び図１０の（２）で示す状態となる。
【００１３】
次に、図９及び図１０の（２）を参照して、ボール部分８８がアウターレールの引き出し方向側の端部に位置した時、インナーレール８１ａは、図示しないストッパーによってこの位置からそれ以上引き出し側へは移動できないように構成されている。即ち、内引出し５１が最大引き出し状態となる。この状態の時、内引出し５１に取付けられたインナーレール８１ａがアウターレール８２ａに対して長さ３Ｌ１／４だけスライドしている。この３Ｌ１／４は、アウターレール８２ａとインナーレール８１ａとを有するスライドレール８０ａにおける一般的なインナーレール８１ａのストローク長さである。
【００１４】
そして、このようなスライドレール８０ａが取付けられた内引出し５１にあっては、最大引き出し状態の時、図９に示すように外引出し６１と同様に充分引き出されているため、内引出し５１内の収納物を容易に取出すことが可能となる。
【考案の概要】
【考案が解決しようとする課題】
【００１５】
上記のような従来の引出し構造体では、外引出しの前扉の背面に対して所定距離離れた位置に内引出しの前方扉が位置するように設定された場合、問題が生じる。以下に図を用いて説明する。
【００１６】
図１１は従来の他の引出し構造体の収納状態を示した概略断面図であり、図１２は図１１で示した引出し構造体の最大引き出し状態を示した概略断面図であり、図１３は図１１で示した内引出しのスライドレールの動作を示す模式図であって、（１）は収納状態を示すものであって、（２）は最大引き出し状態を示すものである。
【００１７】
尚、説明に当たっては、基本的には図６で示した引出し構造体と同一であるため、その相違点を中心に説明する。
【００１８】
これらの図を参照して、引出し構造体７０にあっては、内引出し７１及びスライドレール７５ａ、７５ｂ（図示せず）の形状が大きく異なっている。即ち、内引出し７１は収納時において、その前方扉７２の位置が外引出し６１の前扉６２の背面に対して所定距離離れている。そして、スライドレール７５ａ、７５ｂにおいては、前方扉７２より引き出し側に突き出ないように、前方扉７２の位置に対応して短く形成されている。その結果、外引出し６１の前扉６２の背面と内引出し７１の前方扉７２との間にスペース３９が形成される。このスペース３９を利用することによって、外引出し６１に縦長の収納物を収納することが可能となるため、引出し構造体７０の利便性が向上する。
【００１９】
次に、図１１及び図１３の（１）を参照して、内引出し７１が収納状態の時、スライドレール７５ａのアウターレール７７ａとインナーレール７６ａとが重なり合った位置となっている。尚、アウターレール７７ａ及びインナーレール７６ａの長手方向の長さはＬであり、ボール部分の長さはＬ／４となるように設定されている。長さＬは、当然ながら図１０で示したＬ１より短くなっており、内引出し７１の引き出し方向の長さとほぼ同一である。そして、アウターレール７７ａとインナーレール７６ａとが重なり合った状態の時、ボール部分８８はこれらの中央に位置する。即ち、アウターレール７７ａ及びインナーレール７６ａにおけるボール部分８８を除く両端の長さはそれぞれ３Ｌ／８となる。この状態から、外引出し６１及び内引出し７１を引き出し方向に引き出し続けると、図１２及び図１３の（２）で示す状態となる。
【００２０】
次に、図１２及び図１３の（２）を参照して、内引出し７１が最大引き出し状態の時、インナーレール７６ａがアウターレール７７ａに対して長さ３Ｌ／４だけスライドする。上述した通り、スライドレール７５ａの長さＬは図１０で示した長さＬ１より短いので、インナーレール７６ａのストロークが短くなる。そのため、内引出し７１が充分に引き出すことが出来ず、内引出し７１内の収納物が取出し難くなり、使い勝手の悪い引出し構造体７０となる。
【００２１】
次に、このような課題を解決すべく、ストロークの長いスライドレールを備える引出し構造体に関して、以下に図を用いて説明する。
【００２２】
図１４は従来の更に他の引出し構造体の収納状態を示した概略断面図であり、図１５は図１４で示した引出し構造体の最大引き出し状態を示した概略断面図であり、図１６は図１４で示した内引出しのスライドレールの動作を示す模式図であって、（１）は収納状態を示すものであって、（２）は最大引き出し状態を示すものである。
【００２３】
尚、説明に当たっては、基本的には図１１で示した引出し構造体と同一であるため、その相違点を中心に説明する。
【００２４】
これらの図を参照して、引出し構造体１００にあっては、スライドレール８０ａ、８０ｂ（図示せず）の形状が大きく異なっている。即ち、スライドレール８０ａ、８０ｂの長手方向の長さが、内引出し７１を充分に引き出せるものとなるように、図６で示したスライドレールと同一の長さのものを使用している。
【００２５】
次に、図１４及び図１６の（１）を参照して、内引出し７１が収納状態の時、スライドレール８０ａのアウターレール８２ａとインナーレール８１ａとが重なり合った位置となっている。そして、内引出し７１は、図１４で示すスペース３９を確保するために、インナーレール８１ａの収容側に取付けられている。従って、インナーレール８１ａの引き出し側の端部８５が、内引出し７１の前方扉７２を超えて引き出し側に突き出た状態となっている。そして、この状態から、外引出し６１及び内引出し７１を引き出し方向に引き出し続けると、図１５及び図１６の（２）で示す状態となる。
【００２６】
次に、図１５及び図１６の（２）を参照して、外引出し６１及び内引出し７１が最大引き出し状態の時、インナーレール８１ａがアウターレール８２ａに対して長さ３Ｌ１／４だけスライドする。しかしながら、上述した通り、インナーレール８１ａの引き出し側の端部８５が内引出し７１の前方扉７２を超えて引き出し側に突き出ているため、端部８５が外方に露出した状態となり、見た目が悪く、使用者にとって危険である。
【００２７】
このように、外引出しの前扉と内引出しの前方扉との間にスペースを設けた際においては、内引出しの引き出し距離等に対する問題が発生する。
【００２８】
この考案は、上記のような課題を解決するためになされたもので、インナーレールのストロークが長いスライドレールを有する、使用勝手の良い引出し構造体を提供することを目的とする。
【課題を解決するための手段】
【００２９】
上記の目的を達成するために、請求項１記載の考案は、引出し構造体であって、引出し本体と、引出し本体が収納される収納体と、引出し本体と収納体との間に取付けられ、引出し本体を収納体に対して引き出し自在とするスライドレールとを備え、スライドレールは、引出し本体に取付けられたインナーレールと、インナーレールにスライド自在に係合し、収納体に取付けられたアウターレールとを含み、引出し本体が収納された位置にあっては、インナーレールとアウターレールとが重なりあった位置から第１の方向にスライドした収納位置にインナーレールは配置され、引出し本体を引き出す際には、インナーレールは収納位置から第１の方向とは反対の第２の方向に移動するものである。
【００３０】
このように構成すると、インナーレールのストロークが拡大する。
【００３１】
請求項２記載の考案は、請求項１記載の考案の構成において、引出し本体は、収納体に引き出し自在に取付けられた外引出しの内部に収納され、引出し本体と外引出しとは、収納体に対して同一方向に引き出し自在であるものである。
【００３２】
このように構成すると、引出し本体のストロークを外引出しの通常のスライドレールによるストロークより大きくすることが可能となる。
【００３３】
請求項３記載の考案は、請求項２記載の考案の構成において、引出し本体の引出し側の端部の位置は、インナーレールの第２の方向側の端部より外方に位置するものである。
【００３４】
このように構成すると、インナーレールの端部が引出し本体より引出し側に突き出ない。
【００３５】
請求項４記載の考案は、請求項２又は請求項３記載の考案の構成において、引出し本体の前方扉の前面は、収納時において、外引出しの前扉の背面に対して所定距離離れた内方側に位置し、引き出し時において、外引出しの最大引き出し位置における外引出しの背面に対して所定距離未満の内方側に位置するものである。
【００３６】
このように構成すると、収納時には外引出しと引出し本体との間にスペースが確保されると共に、引き出し時には、引出し本体の前方扉は外引出しの前扉に接近する位置まで移動する。
【考案の効果】
【００３７】
以上説明したように、請求項１記載の考案は、インナーレールのストロークが拡大するため、引出し本体の引き出し距離が大きくなり、使い勝手が向上する。
【００３８】
請求項２記載の考案は、請求項１記載の考案の効果に加えて、引出し本体のストロークを外引出しの通常のスライドレールによるストロークより大きくすることが可能となるため、引出し本体の外引出しに対する配置の自由度が拡大する。
【００３９】
請求項３記載の考案は、請求項２記載の考案の効果に加えて、インナーレールの端部が引出し本体より引出し側に突き出ないため、インナーレールが目立たず、安全性も向上する。
【００４０】
請求項４記載の考案は、請求項２又は請求項３記載の考案の効果に加えて、収納時には外引出しと引出し本体との間にスペースが確保されると共に、引き出し時には、引出し本体の前方扉は外引出しの前扉に接近する位置まで移動するため、外引出しの収納物に応じた使用が可能となり、使い勝手が向上する。
【図面の簡単な説明】
【００４１】
【図１】この考案の第１の実施の形態による引出し構造体の収納状態を示した概略断面図である。
【図２】図１で示した引出し構造体の引き出し途中の状態を示した概略断面図である。
【図３】図１で示した引出し構造体の最大引き出し状態を示した概略断面図である。
【図４】図１で示した内引出しのスライドレールの動作を示す模式図である。
【図５】図１で示した内引出しのスライドレールの最大引き出し状態を従来例と比較した模式図である。
【図６】従来の引出し構造体の収納状態を示した概略断面図である。
【図７】図６で示したＶＩＩ−ＶＩＩラインの断面図である。
【図８】図７で示したＸ部分の拡大図である。
【図９】図６で示した引出し構造体の最大引き出し状態を示した概略断面図である。
【図１０】図６で示した内引出しのスライドレールの動作を示す模式図である。
【図１１】従来の他の引出し構造体の収納状態を示した概略断面図である。
【図１２】図１１で示した引出し構造体の最大引き出し状態を示した概略断面図である。
【図１３】図１１で示した内引出しのスライドレールの動作を示す模式図である。
【図１４】従来の更に他の引出し構造体の収納状態を示した概略断面図である。
【図１５】図１４で示した引出し構造体の最大引き出し状態を示した概略断面図である。
【図１６】図１４で示した内引出しのスライドレールの動作を示す模式図である。
【考案を実施するための形態】
【００４２】
図１はこの考案の第１の実施の形態による引出し構造体の収納状態を示した概略断面図であり、図２は図１で示した引出し構造体の引き出し途中の状態を示した概略断面図であり、図３は図１で示した引出し構造体の最大引き出し状態を示した概略断面図であり、図４は図１で示した内引出しのスライドレールの動作を示す模式図であって、（１）は収納状態を示すものであって、（２）は引き出し途中の状態を示すものであって、（３）は最大引き出し状態を示すものである。
【００４３】
尚、説明に当たっては、基本的には従来例の図１１で示した引出し構造体と同一であるため、その相違点を中心に説明する。
【００４４】
これらの図を参照して、引出し構造体１０にあっては、スライドレール２０ａ、２０ｂ（図示せず）の機能及び取付位置が大きく異なっている。
【００４５】
まず、図１と図４の（１）を参照して、引出し構造体１０におけるスライドレール２０ａは、基本的には図１１で示したスライドレールと同様であるが、アウターレール２２ａの設置位置が可能な限り引き出し側となるように設置されている。又、スライドレール２０ａにおいては、この重なり合った位置からインナーレール２１ａの第１の方向（収納方向）への移動を阻止するためのストッパーを有していないため、インナーレール２１ａはこの位置から第１の方向へスライド可能となる。そして、内引出し７１が収納状態の時、内引出し７１に取付けられたスライドレール２０ａのインナーレール２１ａは、インナーレール２１ａとアウターレール２２ａとが重なり合った位置から、収納側の（図１の右方向）第１の方向にスライドした状態となるように設定されている。具体的には、インナーレール２１ａは、上述した重なり合った位置からアウターレール２２ａに対して第１の方向に長さ３Ｌ／４だけスライドしている。尚、インナーレール２１ａは、これ以上第１の方向にスライドしないように、図示しないストッパーが設けられている。
【００４６】
そして、この状態から、外引出し６１及び内引出し７１を引き出し方向（図の左方向）である第２の方向に引き出すと、図２及び図４の（２）で示す状態となる。
【００４７】
次に、図２及び図４の（２）を参照して、内引出し７１が引き出し途中の状態の時、スライドレール２０ａのインナーレール２１ａとアウターレール２２ａとが重なり合う状態を生じる。このスライドレール２０ａの状態は、図１１で示した収納状態と同じであるため、インナーレール２１ａは更に第２の方向へとスライドさせることが可能である。そして、この状態から、内引出し７１を更に第２の方向に引き出すと、図３及び図４の（３）で示す状態となる。
【００４８】
次に、図３及び図４の（３）を参照して、内引出し７１が最大引き出し状態の時、スライドレール２０ａのインナーレール２１ａは、インナーレール２１ａとアウターレール２２ａが重なり合った位置から、第２の方向にスライドした状態となっている。具体的には、インナーレール２１ａは、上述した重なり合った位置からアウターレール２２ａに対して第２の方向に長さ３Ｌ／４だけスライドしている。尚、インナーレール２１ａは、これ以上第２の方向にスライドしないように、図示しないストッパーが設けられている。
【００４９】
このように、スライドレール２０ａにおいては、図１及び図４の（１）で示した収納状態から図３及び図４の（３）で示した最大引き出し状態までのストローク長さは、
（３Ｌ／４）＋（３Ｌ／４）＝３Ｌ／２・・・・・・・・（１）
となる。そして、従来例で示したように、通常のスライドレールにおいてはそのストローク長さが３Ｌ／４であるため、引出し構造体１０のスライドレール２０ａの長さに対するストロークが２倍に拡大する。そのため、内引出し７１の引き出し距離が大きくなり、図３で示すように内引出し７１の収納物を容易に取出すことが出来るので、引出し構造体１０の使い勝手が向上する。更に、必要なストロークに対するスライドレール２０ａの長さが短く設定することが出来るので、３段構造のスライドレールに比べてコスト的に有利なものとなる。
【００５０】
又、図１で示した収納状態において、内引出し７１の前方扉７２の前面と外引出し６１の前扉６２の背面との間は、所定距離Ａ離れている。そして、図３で示した最大引き出し状態においては、内引出し７１の前方扉７２の前面と外引出し６１の前扉６３の背面とは、距離Ａより短い距離Ｂ離れている。即ち、収納時において所定距離離れていた外引出し６１の前扉６２の背面と内引出し７１の前方扉７２との間が、最大引き出し状態においては所定距離未満となるように構成されている。そのため、収納時には外引出し６１と内引出し７１との間にスペースが確保されると共に、引き出し時には、内引出し７１の前方扉７２は外引出し６１の前扉６２に接近する位置まで移動するため、外引出し６１の収納物に応じた使用が可能となり、使い勝手が向上する。
【００５１】
又、このような引き出し距離の大きな内引出し７１を有する場合であっても、内引出し７１の引き出し側の端部である前方扉７２は、インナーレール２１ａの第２の方向側の端部より外方側に位置している。従って、収納状態及び最大引き出し状態に関わらず、インナーレール２１ａの第２の方向側の端部が内引出し７１より引き出し側に突き出ることが無い。そのため、インナーレール２１ａが目立たず、安全性が向上する。
【００５２】
次に、図１で示したスライドレールと従来例の図１４で示したスライドレールとのストロークについて説明する。
【００５３】
図５は図１で示した内引出しのスライドレールの最大引き出し状態を従来例と比較した模式図であって、（１）は図１で示したスライドレールを示すものであって、（２）は従来例の図１４で示したスライドレールを示すものである。
【００５４】
まず（１）を参照して、図１で示したスライドレール２０にあっては、上述した通り、そのストローク長さは３Ｌ／２となる。
【００５５】
次に（２）を参照して、従来例の図１４で示したスライドレール８０にあっては、先に示したインナーレール８１及びアウターレール８２の長さＬ１を（１）で示したスライドレール２０の長さに対応させると、
Ｌ１＝Ｌ＋（３Ｌ／４）・・・・・・・・・・・・・・・（２）
となる。（２）式を計算して、
Ｌ１＝７Ｌ／４・・・・・・・・・・・・（３）
そして、インナーレール８１とアウターレール８２とが重なり合った位置から第２の方向にスライド出来る長さ、即ちストローク長さは３Ｌ１／４である。これに（３）式を代入すると、
３・（７Ｌ／４）／４＝２１Ｌ／１６・・・・・・・・・（４）
となる。
【００５６】
ここで、図５の（１）のスライドレール２０のストローク長さ３Ｌ／２（＝２４Ｌ／１６）と図５の（２）のスライドレール８０のストローク長さ２１Ｌ／１６とを比較すると、図５の（１）のスライドレール２０のストローク長さの方が長いことがわかる。従って、内引出し７１のストロークを通常のスライドレールが取付けられた引出しのストロークより大きくすることが出来る。即ち、図１で示した外引出し６１のストロークより大きくすることが出来る。そのため、内引出し７１の外引出し６１に対する配置の自由度が拡大する。
【００５７】
又、収納時における図５の（１）及び（２）のインナーレールの第１の方向側の端部の位置は同一である。そして、内引出し７１のストロークを外引出し６１のストロークより大きくすることで、上述したように収納時において所定距離離れていた外引出し６１の前扉６２の背面と内引出し７１の前方扉７２との間が、最大引き出し状態においては所定距離未満となる。
【００５８】
尚、上記の実施の形態では、内引出しに対してのみ特定のスライドレールを使用しているが、このスライドレールは外引出しに対しても同様に適用出来る。更に、外引出しに限らず、どのような引出し本体に対しても適用出来ることは言うまでも無い。
【００５９】
更に、上記の実施の形態では、スライドレールのボール部分の長さはＬ／４に設定されているが、ボール部分の長さはＬ／４以外に設定されていても良い。
【００６０】
更に、上記の実施の形態では、スライドレールは所謂２段構造であるが、３段構造以上のスライドレールに対しても同様に適用出来る。
【００６１】
又、上記の実施の形態では、内引出しに取付けられたスライドレールは特定構造のボールベアリング式を採用しているが、ローラーベアリング式等、他のタイプのスライドレールであっても良い。
【００６２】
更に、上記の実施の形態では、引出し構造体は外引出し及び内引出しを備えているが、外引出しは無くても良い。
【００６３】
更に、上記の実施の形態では、内引出しにインナーレールが取付けられ、収納体にアウターレールが取付けられているが、インナーレールとアウターレールとが逆に取付けられていても良い。この場合、本願にあっては通常のアウターレールをインナーレールと、通常のインナーレールをアウターレールに読み替えるものとする。
【００６４】
更に、上記の実施の形態では、内引出しの引き出し側の端部の位置がインナーレールの第２の方向側の端部より外方に位置しているが、この位置がインナーレールの第２の方向側の端部、又は内方（収納側）に位置していても良い。
【００６５】
更に、上記の実施の形態では、収納状態においては外引出しの前扉の背面と内引出しの前方扉とが所定距離離れていると共に、最大引き出し状態においてはこの距離が所定距離未満となるように構成されているが、例えば最大引き出し状態において、この距離が所定距離以上離れるように構成されていても良い。
【符号の説明】
【００６６】
１０…引出し構造体
２０…スライドレール
２１…インナーレール
２２…アウターレール
４０…収納体
６１…外引出し
６２…前扉
７１…内引出し
７２…前方扉
尚、各図中同一符号は同一又は相当部分を示す。
【図１】
0003157827.tif 000003
【図２】
0003157827.tif 000004
【図３】
0003157827.tif 000005
【図４】
0003157827.tif 000006
【図５】
0003157827.tif 000007
【図６】
0003157827.tif 000008
【図７】
0003157827.tif 000009
【図８】
0003157827.tif 000010
【図９】
0003157827.tif 000011
【図１０】
0003157827.tif 000012
【図１１】
0003157827.tif 000013
【図１２】
0003157827.tif 000014
【図１３】
0003157827.tif 000015
【図１４】
0003157827.tif 000016
【図１５】
0003157827.tif 000017
【図１６】
0003157827.tif 000018